(57)【要約】 【課題】  蓋を飲料容器に施した状態のまま容易に飲用ストローを蓋から取り外すことができ、従って飲料容器を手に把持した状態でも容易に飲用ストローを取り外せて、飲料が容器からこぼれるようなことのない新規なストロー入り飲料容器用合成樹脂製蓋を提供する。【解決手段】  蓋本体１上面の中央位置にストロー収納凹部７を有し、このストロー収納凹部７内に無包装飲用ストロー１０を収納してあり、この無包装飲用ストロー１０に塵埃が付着しないようストロー収納凹部７上に防塵フィルム９を接着して設けてある。【選択図】    図１
2008201439.tif 000002
【特許請求の範囲】
【請求項１】
ストロー入り飲料容器用合成樹脂製蓋であって、蓋本体上面の中央位置にストロー収納凹部を有し、このストロー収納凹部内に無包装飲用ストローを収納してあり、この無包装飲用ストローに塵埃が付着しないようストロー収納凹部上に防塵フィルムを接着して設けてあるストロー入り飲料容器用合成樹脂製蓋。
【請求項２】
上記防塵フィルムがストロー収納凹部の上部にだけ位置付けて設けてある上記請求項１に記載のストロー入り飲料容器用合成樹脂製蓋。
【請求項３】
上記防塵フィルムが蓋の上部全域に位置付けて設けてある上記請求項１に記載のストロー入り飲料容器用合成樹脂製蓋。
【請求項４】
上記防塵フィルムが蓋本体にヒンジ連結してある上記請求項１に記載のストロー入り飲料容器用合成樹脂製蓋。
【請求項５】
上記ストローが伸縮ストローである上記請求項１乃至４の何れかに記載のストロー入り飲料容器用合成樹脂製蓋。
【発明の詳細な説明】
【技術分野】
【０００１】
本発明は、飲料容器用の蓋であって、ストロー入りの合成樹脂製蓋に関する。
【背景技術】
【０００２】
飲料容器用の合成樹脂製蓋であって、この蓋に飲用ストローを付属させてストロー付飲料容器用合成樹脂製蓋は公知である（例えば特許文献１）。
【特許文献１】実開平５−５４３１３号公報
【発明の開示】
【発明が解決しようとする課題】
【０００３】
上記公知の飲料容器用合成樹脂製蓋は、その裏面に引用ストローを付着させてあり、次のような不都合がある。
蓋から飲用ストローを取り外すには、必ず蓋を飲料容器から開放しなければならない。飲料容器を例えばテーブル上に置いてから蓋を開放して飲用ストローを蓋から取り外す場合には不都合はないが、飲料容器を手に把持した状態で蓋を飲料容器から開放し、この蓋から飲用ストローを取り外すことは、片手で容器を持ち他方の手で蓋を持つから、きわめて困難であり、無理して飲用ストローを蓋から取り外そうとすると、飲料容器から飲料がこぼれてしまい、衣服等を汚す危険性がある。という課題がある。
本発明は、上記課題に鑑み、蓋を飲料容器に施した状態のまま容易に飲用ストローを蓋から取り外すことができ、従って飲料容器を手に把持した状態でも容易に飲用ストローを取り外せて、飲料が容器からこぼれるようなことのない新規なストロー入り飲料容器用合成樹脂製蓋を提供する。
【課題を解決するための手段】
【０００４】
そのために、本発明のストロー入り飲料容器用合成樹脂蓋は、蓋本体上面の中央位置にストロー収納凹部を有し、このストロー収納凹部内に無包装飲用ストローを収納してあり、この無包装飲用ストローに塵埃が付着しないようストロー収納凹部上に防塵フィルムを接着して設けてある。
【０００５】
また、本発明のストロー入り飲料容器用合成樹脂蓋は、上記防塵フィルムがストロー収納凹部の上部にだけ位置付けて設けてある。
さらに、本発明のストロー入り飲料容器用合成樹脂蓋は、上記防塵フィルムが蓋の上部全域に位置付けて設けてある。
また、本発明のストロー入り飲料容器用合成樹脂蓋は、上記防塵フィルムが蓋本体にヒンジ連結してある。
さらに、本発明のストロー入り飲料容器用合成樹脂蓋は、上記ストローが伸縮ストローであり、この伸縮ストローは２段伸縮ストロー、３段伸縮ストローである。
【発明の効果】
【０００６】
本発明のストロー入り飲料容器用合成樹脂蓋は、蓋本体上面の中央位置にストロー収納凹部を有し、このストロー収納凹部内に無包装飲用ストローを収納してあり、この無包装飲用ストローに塵埃が付着しないようストロー収納凹部上に防塵フィルムを接着して設けてあるから、蓋本体上面に無包装飲用ストローを収納してあっても、防塵フィルムによって無包装飲用ストローに塵埃が付着するおそれのない効果を有する。さらに、飲料容器を手に把持した状態で防塵フィルムを剥離し、飲用ストローを容易に取り外すことができ、飲用ストローを蓋に突き刺し等しても飲料容器中の飲料がこぼれ出て、衣服等を汚すおそれもない効果を有する。
【発明を実施するための最良の形態】
【０００７】
図１乃至図４に本発明の好ましい実施例を示してある。合成樹脂製蓋は合成樹脂板の型成形によって成形される従前公知の蓋と同様の蓋であって、蓋本体１は周壁２とその上縁の突条３とを有し、上縁突条３の内側に天板４を有する。この天板４の中央位置に僅かな浅い段差５によって浅い中央部６を有し、この中央部６内にストロー収納凹部７を形成してあり、このストロー収納凹部７中に無包装伸縮ストロー１０を収納してあり、このストロー収納凹部７の周壁四箇所に無包装ストロー１０の収納を安定させるストロー止め突部８を有する。図中９が無包装ストローを塵埃から保護する防塵フィルムで、図１乃至図４に示した実施例では中央部６だけにイージーピール状態で接着してあり、その一端に剥離時につまむつまみ片１１を有する。
【０００８】
図５乃至図８に別の実施例を示してあり、図１乃至図４に示した実施例と同一の符号を付した部分は同一のものである。この別の実施例の特徴は、天板４全域に防塵フィルム９をイージーピール状態で接着してある。そこでストロー収納凹部７の端位置に臨む突条３の位置を凹状１２に形成してあり、この位置に防塵フィルム９のつまみ片を設けるようにしてある。
【０００９】
図９乃至図１２に更に別の実施例を示してある。図１乃至図８に示した実施例と同一の符号を付した部分は同一のものである。この更に別の実施例の特徴は、防塵フィルム９を蓋本体１にヒンジ連結１３してある。
【００１０】
上記の通りの構成からなる本発明の合成樹脂製蓋は、無包装伸縮ストロー１０が蓋本体１の上面のストロー収納凹部７内に収納され、防塵フィルム９により塵埃から保護された状態にある。この状態で合成樹脂製蓋は飲料容器の上部に被せて施される。従って蓋が容器に施された状態で防塵フィルム９を剥離し、伸縮ストロー１０を蓋から取り外し、このストロー１０を蓋に突き刺しすることができる。従って蓋を飲料容器から外すことが必要でないから、飲料容器から飲料がこぼれるおそれがなく安全である。
【図面の簡単な説明】
【００１１】
【図１】本発明の合成樹脂製蓋の好ましい実施例の斜面図。
【図２】図１図示の実施例の平面図。
【図３】図２上Ａ−Ａ線断面図。
【図４】同じくＢ−Ｂ線断面図。
【図５】本発明の合成樹脂製蓋の別の実施例の斜面図。
【図６】図５図示の実施例の平面図。
【図７】図６上Ａ−Ａ線断面図。
【図８】同じくＢ−Ｂ線断面図。
【図９】本発明の合成樹脂製蓋の更に別の実施例の斜面図。
【図１０】図９図示の実施例の平面図。
【図１１】図９上Ａ−Ａ線断面図。
【図１２】同じくＢ−Ｂ線断面図。
【符号の説明】
【００１２】
１    蓋本体
２    周壁
３    突条
４    天板
５    段差
６    中央部
７    ストロー収納凹部
８    ストロー止め部
９    防塵フィルム
１０  伸縮ストロー
１１  つまみ片
１２  凹状
１３  ヒンジ連結
【図１】
2008201439.tif 000003
【図２】
2008201439.tif 000004
【図３】
2008201439.tif 000005
【図４】
2008201439.tif 000006
【図５】
2008201439.tif 000007
【図６】
2008201439.tif 000008
【図７】
2008201439.tif 000009
【図８】
2008201439.tif 000010
【図９】
2008201439.tif 000011
【図１０】
2008201439.tif 000012
【図１１】
2008201439.tif 000013
【図１２】
2008201439.tif 000014